(57)【要約】【課題】予め、トークンにゲート装置のロックを解除するための情報を記憶する必要がなく、更に、ゲート装置のロックの解除順序を考慮して、ロックの解除を制御できる入退室管理システムを提供する。【解決手段】ゲート装置２は、ユーザがロックを解除するゲート装置２に辿りつくまでに、必ずロックを解除しなければならないゲート装置２を示す参照ゲート情報２４ａ、２４ｂを記憶している。ユーザは、ＩＣカード３を所持し、ＩＣカード３には解除したゲート装置２の識別番号を時系列で記憶するログファイルを備えている。ゲート装置２は、ＩＣカード３に記憶されたログファイルの内容と参照ゲート情報２４ａ或いは２４ｂとを照合し、ゲート装置２のロックの解除を制御する。そして、ゲート装置２のロックを解除するごとに、ユーザが所持するＩＣカード３のログファイルに、自機の識別番号を書き込む。【選択図】図２
2008007941.tif 000002
【特許請求の範囲】
【請求項１】
施設内の部屋への入退室を管理する入退室管理方法であって、ユーザが所持するトークンに、ユーザがロックを解除した前記ゲート装置のログを記憶し、前記ログにはロックを解除した前記ゲート装置の識別番号が時系列で記述され、前記ゲート装置のロックを解除するときは、少なくとも、前記ゲート装置の配置に基づき、ユーザがロックを解除する前記ゲート装置に辿りつくまでに、必ずロックを解除しなければならない前記ゲート装置を示す参照ゲート情報と前記ログの内容との照合結果に基づいて、前記ゲート装置のロックの解除を制御し、前記ゲート装置のロックを解除するときは、ロックを解除する前記ゲート装置の前記識別番号を前記トークンに書き込むことを特徴とする入退室管理方法。
【請求項２】
請求項１に記載の入退室管理方法であって、前記参照ゲート情報は入室用と退室用が設定され、入室時の前記ユーザ認証には、入室用の前記参照ゲート情報が用いられ、退室時の前記ユーザ認証には、退室用の前記参照ゲート情報が用いられることを特徴とする入退室管理方法。
【請求項３】
請求項２に記載の入退室管理方法において、入室用の前記参照ゲート情報及び退室用の前記参照ゲート情報は、ユーザが解除する前記ゲート装置の一つ前に解除されるべき前記ゲート装置の前記識別番号とすることを特徴とする入退室管理方法。
【請求項４】
請求項２に記載の入退室管理方法であって、入室用の前記参照ゲート情報は、前記施設の定められた区間内において、ユーザがロックを解除する前記ゲート装置に辿りつくまでに、ロックを解除されるべき前記ゲート装置の前記識別番号とその順序が示されたルート情報で、退室用の前記参照ゲーム情報は、ユーザがロックを解除する前記ゲート装置の一つ前に必ず利用しなければならない前記ゲート装置の前記識別番号とすることを特徴とする入退室管理方法。
【請求項５】
請求項１から請求項４のいずれかに記載の入退室管理方法であって、前記ユーザ認証では、ユーザが解除した前記ゲート装置を確認すると共に、パスワード照合或いは生体情報認証が実施されることを特徴とする入退室管理方法。
【請求項６】
施設内の部屋への入退室を管理する入退室管理システムであって、入退室するユーザが所持するトークンと、部屋の入退室を管理するゲート装置とから構成され、前記トークンのメモリには、ユーザがロックを解除した前記ゲート装置の識別番号を時系列で記憶するログファイルが設けられ、前記ゲート装置は、前記トークンとデータ通信するインターフェース手段と、前記ゲート装置のロックの解除を制御するゲート制御手段とを備え、前記ゲート制御手段は、ユーザがロックを解除する前記ゲート装置に辿りつくまでに、必ずロックを解除しなければならない前記ゲート装置を示す参照ゲート情報を記憶し、少なくとも、前記トークンから読みだした前記ログファイルの内容と前記参照ゲート情報との照合結果に基づいて、前記ゲート装置のロックの解除を制御し、前記ゲート装置のロックを解除するときは、ユーザが所持する前記トークンの前記ログファイルに、前記ゲート装置の前記識別番号を書き込むことを特徴とする入退室管理システム。
【請求項７】
請求項６に記載の入退室管理システムであって、前記ゲート装置の前記ユーザ認証手段は、入室用と退室用それぞれの前記参照ゲート情報を記憶し、入室時の前記ユーザ認証には、入室用の前記参照ゲート情報を用い、退室時の前記ユーザ認証には、退室用の前記参照ゲート情報を用いることを特徴とする入退室管理システム。
【請求項８】
請求項７に記載の入退室管理システムであって、入室用の前記参照ゲート情報及び退室用の前記参照ゲート情報は、ユーザが解除する前記ゲート装置の一つ前に解除されるべき前記ゲート装置の前記識別番号とすることを特徴とする入退室管理システム。
【請求項９】
請求項８に記載の入退室管理システムであって、入室用の前記参照ゲート情報は、前記施設の定められた区間内において、ユーザがロックを解除する前記ゲート装置に辿りつくまでに、ロックを解除すべき前記ゲート装置の前記識別番号とその順序を示すルート情報で、退室用の前記参照ゲーム情報は、ユーザがロックを解除する前記ゲート装置の一つ前に必ず利用しなければならない前記ゲート装置の前記識別番号とすることを特徴とする入退室管理システム。
【請求項１０】
請求項６から請求項９のいずれかに記載の入退室管理システムであって、前記ゲート装置に備えられた前記ユーザ認証手段は、前記ユーザ認証では、ユーザがロックを解除した前記ゲート装置を確認すると共に、パスワード照合或いは生体情報認証を実施することを特徴とする入退室管理システム。
【発明の詳細な説明】
【技術分野】
【０００１】
本発明は、施設内の部屋への入退室を管理する技術に関し、更に詳しくは、施設内の部屋に設置されたゲート装置の解除順序を考慮した入退室管理システムおよび方法に関する。
【背景技術】
【０００２】
個人情報などの機密情報の漏洩を防止するために、機密情報を取り扱う企業では情報セキュリティが重要視されている。例えば、機密情報を取り扱う企業などの出入り口には、許可されたユーザ以外の入退室を防止すべく、ＩＣカードなどのトークンを用いた入退室管理システムが設置され、入退室するユーザが管理されている。
【０００３】
例えば、特許文献１では、ユーザはトークンとしてＩＣカードを所持し、入室又は退室する際のいずれか一方でＩＣカードと接触で通信することで、入退室管理のセキュリティを高めた入退室管理システムが開示されている。
【０００４】
この入退室管理システムでは、ユーザが所持するＩＣカードをデュアルインターフェースＩＣカードとすることで、入室又は退室のいずれか一方を、ＩＣカードと非接触で通信することができ、入退室管理のセキュリティを高めるともに、ユーザの利便性を高めることができる。
【特許文献１】特開２００１−３２３６９５号公報
【発明の開示】
【発明が解決しようとする課題】
【０００５】
しかしながら、特許文献１で開示されているように、一般的な入退室管理システムでは、ユーザが所持するトークン（例えば、ＩＣカード）に、ゲート装置のロックを解除するための情報を必ず記憶していなければならなかった。加えて、施設内の各部屋ごとにゲート装置が設置されている場合、ゲート装置のロックの解除順序を考慮して、ゲート装置のロックの解除を制御することはできなかった。
【０００６】
例えば、従来の技術では、常時、守衛が立っている箇所のゲート装置のロック解除が義務付けられている場合であっても、施設内の他の部屋に設置されたゲート装置は、守衛が立っている箇所のゲート装置のロックを解除したか否かを判定することはできない。
【０００７】
そこで、本発明は、ユーザが所持するトークン（例えば、ＩＣカード）に、予め、ゲート装置のロックを解除するための情報を必ずしも記憶する必要がなく、更に、施設内に複数のゲート装置が設置されている場合、ゲート装置のロックの解除順序を考慮して、ゲート装置のロックの解除を制御することができる入退室管理システム、入退室管理方法を提供することを目的とする。
【課題を解決するための手段】
【０００８】
上述した課題を解決する第１の発明は、施設内の部屋への入退室を管理する入退室管理方法であって、ユーザが所持するトークンに、ユーザがロックを解除した前記ゲート装置のログを記憶し、前記ログにはロックを解除した前記ゲート装置の識別番号が時系列で記述され、前記ゲート装置のロックを解除するときは、少なくとも、前記ゲート装置の配置に基づき、ユーザがロックを解除する前記ゲート装置に辿りつくまでに、必ずロックを解除しなければならない前記ゲート装置を示す参照ゲート情報と前記ログの内容との照合結果に基づいて、前記ゲート装置のロックの解除を制御し、前記ゲート装置のロックを解除するときは、ロックを解除する前記ゲート装置の前記識別番号を前記トークンに書き込むことを特徴とする。
【０００９】
更に、第２の発明は、第１の発明に記載の入退室管理方法であって、前記参照ゲート情報は入室用と退室用が設定され、入室時の前記ユーザ認証には、入室用の前記参照ゲート情報が用いられ、退室時の前記ユーザ認証には、退室用の前記参照ゲート情報が用いられることを特徴とする。
【００１０】
更に、第３の発明は、第２の発明に記載の入退室管理方法において、入室用の前記参照ゲート情報及び退室用の前記参照ゲート情報は、ユーザが解除する前記ゲート装置の一つ前に解除されるべき前記ゲート装置の前記識別番号とすることを特徴とする。
【００１１】
更に、第４の発明は、第２の発明に記載の入退室管理方法であって、入室用の前記参照ゲート情報は、前記施設の定められた区間内において、ユーザがロックを解除する前記ゲート装置に辿りつくまでに、ロックを解除されるべき前記ゲート装置の前記識別番号とその順序が示されたルート情報で、退室用の前記参照ゲート情報は、ユーザがロックを解除する前記ゲート装置の一つ前に必ず利用しなければならない前記ゲート装置の前記識別番号とすることを特徴とする。
【００１２】
更に、第５の発明は、第１の発明から第４の発明のいずれかに記載の入退室管理方法であって、前記ユーザ認証では、ユーザが解除した前記ゲート装置を確認すると共に、パスワード照合或いは生体情報認証が実施されることを特徴とする。
【００１３】
更に、第６の発明は、施設内の部屋への入退室を管理する入退室管理システムであって、入退室するユーザが所持するトークンと、部屋の入退室を管理するゲート装置とから構成され、前記トークンのメモリには、ユーザがロックを解除した前記ゲート装置の識別番号を時系列で記憶するログファイルが設けられ、前記ゲート装置は、前記トークンとデータ通信するインターフェース手段と、前記ゲート装置のロックの解除を制御するゲート制御手段とを備え、前記ゲート制御手段は、ユーザがロックを解除する前記ゲート装置に辿りつくまでに、必ずロックを解除しなければならない前記ゲート装置を示す参照ゲート情報を記憶し、少なくとも、前記トークンから読みだした前記ログファイルの内容と前記参照ゲート情報との照合結果に基づいて、前記ゲート装置のロックの解除を制御し、前記ゲート装置のロックを解除するときは、ユーザが所持する前記トークンの前記ログファイルに、前記ゲート装置の前記識別番号を書き込むことを特徴とする。
【００１４】
更に、第７の発明は、第６の発明に記載の入退室管理システムであって、前記ゲート装置の前記ユーザ認証手段は、入室用と退室用それぞれの前記参照ゲート情報を記憶し、入室時の前記ユーザ認証には、入室用の前記参照ゲート情報を用い、退室時の前記ユーザ認証には、退室用の前記参照ゲート情報を用いることを特徴とする。
【００１５】
更に、第８の発明は、第７の発明に記載の入退室管理システムであって、入室用の前記参照ゲート情報及び退室用の前記参照ゲート情報は、ユーザが解除する前記ゲート装置の一つ前に解除されるべき前記ゲート装置の前記識別番号とすることを特徴とする。
【００１６】
更に、第９の発明は、第８の発明に記載の入退室管理システムであって、入室用の前記参照ゲート情報は、前記施設の定められた区間内において、ユーザがロックを解除する前記ゲート装置に辿りつくまでに、ロックを解除すべき前記ゲート装置の前記識別番号とその順序を示すルート情報で、退室用の前記参照ゲート情報は、ユーザがロックを解除する前記ゲート装置の一つ前に必ず利用しなければならない前記ゲート装置の前記識別番号とすることを特徴とする。
【００１７】
更に、第１０の発明は、第６の発明から第９の発明のいずれかに記載の入退室管理システムであって、前記ゲート装置に備えられた前記ユーザ認証手段は、前記ユーザ認証では、ユーザがロックを解除した前記ゲート装置を確認すると共に、パスワード照合或いは生体情報認証を実施することを特徴とする。
【発明の効果】
【００１８】
上述した本発明によれば、ユーザが所持するトークンに、ユーザがロックを解除したゲート装置のログを記憶し、このログを利用してゲート装置のロックの解除を制御することで、トークンには予めゲート装置のロックを解除するための情報を記憶する必要がなくなり、更に、施設内に複数のゲート装置が設置されている場合、ゲート装置の利用順序を考慮して、ゲート装置のロックの解除を制御することができる。
【００１９】
なお、本発明においてトークンとは、外部の端末装置とデータ通信する機能を備え、ユーザを識別するためのＩＤデータを格納する携帯可能な装置を意味し、詳しくは、ＩＣカード、ＵＳＢトークンおよび携帯電話などの装置を意味する。
【００２０】
更に、ユーザがロックを解除するゲート装置に辿りつくまでに、必ず解除しなければならないゲート装置を示す参照ゲート情報を入室用と退室用に分けて用意しておくことで、同じゲート装置であっても、入室と退室で異なる参照ゲート情報を設定できる。
【００２１】
なお、参照ゲート情報としては、入退室共に、ユーザがロックを解除するゲート装置の一つ前にロックを解除すべきゲート装置の識別番号とすることができるが、入室用の参照ゲート情報を、施設の定められた区間内において、ユーザがロック解除するゲート装置に辿りつくまでに、ロックを解除すべきゲート装置の識別番号とその順序を示すルート情報とすることで、入室時のセキュリティを高めることができる。
【００２２】
更に、例えば、パスワード照合や生体情報認証と組み合せることで、入退室時のセキュリティをより高めることができる。
【発明を実施するための最良の形態】
【００２３】
ここから、本発明に係る入退室管理システム及び入退室管理方法について、図を参照しながら詳細に説明する。図１は、本発明に係る入退室管理システムの一実施の形態を示した図である。
【００２４】
図１に示したように、施設１内にあるルーム１０（ここでは、３つ）の入退室口にはゲート装置２が設置され、それぞれのゲート装置２は識別番号を有する。ルーム番号が「１」のルーム１０には１台のゲート装置２が設置され、その識別番号は「１」である。ルーム番号が「２」のルーム１０には１台のゲート装置２が設置され、その識別番号は「２」である。ルーム番号が「３」のルーム１０には２台のゲート装置２が設置され、それぞれの識別番号は「３」及び「４」である。
【００２５】
今後、それぞれのルーム１０を明確に識別する必要があるとき、ルーム１０の番号を（）で括り表記する。例えば、ルーム番号が「１」のルーム１０は、ルーム１０（１）と表記する。また、それぞれのゲート装置２を明確に識別する必要があるとき、ゲート装置２の識別番号を（）で括り表記する。例えば、識別番号が「１」のゲート装置２は、ゲート装置２（１）と表記する。
【００２６】
本発明に係る入退室管理システムにおいては、各々のゲート装置２は、ゲート装置２の配置に基づき、ユーザがロックを解除するゲート装置２に辿りつくまでに、必ずロックを解除しなければならないゲート装置２を示す参照ゲート情報を記憶している。
【００２７】
施設１に入退室するユーザは、トークンしてＩＣカード３を所持し、ＩＣカード３のメモリには解除したゲート装置２の識別番号を時系列で記憶するログファイルを備えている。
【００２８】
各々のゲート装置２は、ゲート装置２を利用するユーザが所持するＩＣカード３に記憶されたログファイルの内容と参照ゲート情報とを照合し、ゲート装置２のロックの解除を制御する。そして、ゲート装置２のロックを解除するごとに、ユーザが所持するＩＣカード３のログファイルに、自機の識別番号を追加書込みする。
【００２９】
例えば、正式なルートでユーザがゲート装置２（３）に辿りつくためには、ゲート装置２（２）のロックを解除していることが必要であるため、ゲート装置２（３）の参照ゲート情報としてゲート装置２（２）の識別番号「２」が記憶される。そして、ゲート装置２（３）は、ゲート装置２（３）を利用するユーザのＩＣカード３からログファイルを読出し、最後に利用したゲート装置２の識別番号が「２」であった場合にのみ、ゲート装置２（３）はロックを解除する。
【００３０】
図２は、ゲート装置２のブロック図である。図２に示したように、各々のゲート装置２は、ユーザが所持するＩＣカード３とデータ通信する手段となり、入室側に設置されるリーダライタ２１ａと、退室側に設置されるリーダライタ２１ｂと、ゲート装置２をロックするロック手段２２と、ゲート装置２の全体を制御するゲート制御手段２０を備え、情報として、ゲート装置２ごとに割り振られた識別番号２３と、入室時に利用する参照ゲート情報２４ａと、退室時に利用する参照ゲート情報２４ｂとを記憶している。
【００３１】
図３は、ユーザが所持するＩＣカード３のブロック図で、ユーザが所持するＩＣカード３にログファイル３０が設けられている。このログファイル３０には、ユーザがロックを解除したゲート装置２の識別番号２３が時系列で記憶される。
【００３２】
図４は、ログファイル３０の一例を示した図で、図４に図示したログファイル３０は、循環順編成構造のレコードファイルで、ログファイル３０は、ゲート装置２の識別番号２３を記憶する５つのレコード３１を有し、最後にゲート装置２の識別番号２３を書き込んだレコード３１には、１番のレコード番号が割り当てられる。
【００３３】
図４において、＃はレコード３１のレコード番号を示し、最後に書き込まれたゲート装置２の識別番号２３は＃１のレコード３１に記憶され、その前に書き込まれたゲート装置２の識別番号２３は＃２のレコード３１に記憶され、最旧に書き込まれたゲート装置２の識別番号２３は、識別番号２３が記憶されたレコード３１の中で、最もレコード番号の大きいレコード３１に記憶される。
【００３４】
ここから、図２および図３を参照しながら、ゲート装置２の動作について説明する。ユーザが入室する際、入室側のリーダライタ２１ａがＩＣカード３を検知すると、ゲート装置２のゲート制御手段２０は、リーダライタ２１ａを用いてＩＣカード３からログファイル３０のすべて或いは一部を読取り、読取ったログファイル３０の内容と参照ゲート情報２４ａとを照合し、読取ったログファイル３０の内容からゲート装置２のロックを解除できると判断したとき、リーダライタ２１ａを用いて自機の識別番号２３をＩＣカード３のログファイル３０に書き込むと共に、ロック手段２２にロックを解除する信号を送信し、ゲート装置２のロックを解除する。
【００３５】
ユーザが退室する際も入室時と同様に、退室側のリーダライタ２１ｂがＩＣカード３を検知したとき、ゲート装置２のゲート制御手段２０は、検知したＩＣカード３からログファイル３０のすべて或いは一部を読取り、読取ったログファイル３０の内容と参照ゲート情報２４ｂとを照合し、読取ったログファイル３０の内容からゲート装置２のロックが解除できると判断したとき、リーダライタ２４ｂを用いて自分の識別番号２３をＩＣカード３に書き込むと共に、ロック手段２２にロックを解除する信号を送信し、ゲート装置２のロックを解除する。
【００３６】
本発明において、ゲート装置２に記憶する参照ゲート情報２４ａ、ｂとしては、ルーム１０の見取り図などを参照し、一つ前にロックを解除すべきゲート装置２の識別番号２３とすることができる。例えば、ゲート装置２（２）を用いてルーム１０（２）に入室する際は、ユーザは必ずルーム１０（１）に在室していることになり、ルーム１０（１）に在室するためにロックを解除しなければならないゲート装置２の識別番号２３は「１」であるため、ゲート装置２（２）の入室用の参照ゲート情報は「１」に設定される。
【００３７】
すなわち、ゲート装置２（２）を利用して、ルーム１０（１）からルーム１０（２）に入室する際は、ＩＣカード３のログファイル３０に最後に記憶された識別番号２３、例えば、図４では＃１のレコード３１に記憶された識別番号２３が「１」であることが、ゲート装置２（２）のロックを解除する条件となる。
【００３８】
また、退室時、ゲート装置２（３）を利用してルーム１０（３）からルーム１０（２）へ退室する際は、ユーザは必ずルーム１０（３）に在室していることになる。ルーム１０（３）に在室するためには、ゲート装置２（３）またはゲート装置２（４）を利用していなければならないため、ゲート装置２（３）の退室用の参照ゲート情報２４ｂは「３」と「４」の２つが設定される。
【００３９】
更に、ゲート装置２（２）を利用してルーム１０（２）からルーム１０（１）へ退室する際は、ルーム１０（３）に入退室することなくルーム１０（２）に在室していたか、或いは、ルーム１０（３）から退室した後にルーム１０（２）に在室していたことになるため、ゲート装置２（２）の参照ゲート情報２４ｂは「２」、「３」及び「４」の３つが設定される。
【００４０】
すなわち、ゲート装置２（３）を利用してルーム１０（３）からルーム１０（２）へ退室する際は、ＩＣカード３のログファイル３０に最後に記憶された識別番号２３、例えば、図４において、＃１のレコード３１に記憶された識別番号２３が「３」もしくは「４」のいずれかであることが、ゲート装置２（３）のロックを解除する条件となる。
【００４１】
また、ゲート装置２（２）を利用してルーム１０（２）からルーム１０（１）へ退室する際は、ＩＣカード３のログファイル３０に最後に記憶された識別番号２３、例えば、図４において、＃１のレコード３１に記憶された識別番号２３が「２」、「３」もしくは「４」のいずれかであることが、ゲート装置２（２）のロックを解除する条件となる。
【００４２】
入室時のセキュリティを向上させたい場合には、入室用の参照ゲート情報２４ａとして、一つ前に必ずロックを解除すべきゲート装置２の識別番号２３ではなく、ユーザがロックを解除するゲート装置２に辿りつくまでに、ロックを解除すべきゲート装置２の識別番号２３とその順序を記述したルート情報とするとよい。入室時には、入室までのルートを確認することで、入室時のセキュリティを向上させることができる。
【００４３】
例えば、ルーム１０（３）へ入室する時、ゲート装置２（３）を利用するときまでにロックを解除されるゲート装置２は、ゲート装置２（１）とゲート装置２（２）で、その順序はゲート装置２（１）が最初で、その次がゲート装置２（２）ある。このとき、ゲート装置２（３）の入室用の参照ゲート情報２４ａは、ゲート装置２（１）とゲート装置２（２）の識別番号２３を利用する逆順に並べて「２１」と設定される。
【００４４】
このとき、ゲート装置２（３）を利用してルーム１０（３）からルーム１０（２）へ退室する際は、ＩＣカード３のログファイル３０に最後に記憶された識別番号２３が「２」で、その前の識別番号２３が「１」であることが、ゲート装置２（３）がゲート装置２を解除する条件となる。
【００４５】
例えば、図４において、＃１のレコード３１に記憶された識別番号２３が「２」で、かつ、＃２のレコード３１に記憶された識別番号２３が「１」であることが、ゲート装置２（３）がロックを解除する条件となる。
【００４６】
入室用の参照ゲート情報２４ａとして、ユーザがロックを解除するゲート装置２に辿りつくまでに解除されるべきゲート装置２の識別番号２３とその順序を記述したルート情報とする際、ルート情報に含む識別番号の数は任意でよい。例えば、一つのゲート装置２を利用するまでに５個のゲート装置２を利用しなければならないケースであっても、参照ゲート情報としては、直前に利用する３つのゲート装置２の識別番号２３とその順序であってもよい。当然のことながら、ユーザがロックを解除するゲート装置２に辿りつくまでに複数のルートが存在する場合は、入室用の参照ゲート情報２４ａには複数のルート情報が記憶される。
【００４７】
更に、本発明においては、別なユーザ認証手段と組み合せることで、更に、セキュリティを高められる。例えば、ログファイル３０の内容の照合に加え、ゲート装置２にはパスワード照合や生体情報認証の機能を備えていてもよく、また、ログファイル３０の内容の照合に失敗した場合、警告音を発信してもよい。
【００４８】
このケースでは、パスワード照合もしくは生体情報認証に成功し、かつ、ログファイル３０の内容の照合に成功することが、ゲート装置２のロックを解除する条件となる。
【００４９】
ここから、本発明に係る入退室管理方法の手順について説明する。図５は、入退室管理方法の手順を示したフロー図である。この手順の最初のステップＳ１は、ユーザが所持するトークンをゲート装置が検知するステップである。例えば、図１で示した入退室管理システムにおいては、入室するときはリーダライタ２１ａがＩＣカード３を検知し、退室するときはリーダライタ２１ｂがＩＣカード３を検知する。
【００５０】
次のステップＳ２は、ステップＳ１で検知したトークンから、ユーザが利用したゲート装置の識別番号が時系列的に記憶されたログの内容をゲート装置が読取るステップである。例えば、図１で示した入退室管理システムにおいては、ゲート装置２は、ＩＣカード３からログファイル３０の内容を読取る。
【００５１】
次のステップＳ３は、ステップＳ２で読取ったログファイルの内容を照合するステップである。図１で示した入退室管理システムにおいては、一つ前に解除すべきゲート装置２の識別番号２３、或いは、ユーザが解除するゲート装置２に辿りつくまでに解除されるべきゲート装置２の識別番号２３とその順序を示すルート情報などが記述された参照ゲート情報２４ａ或いは２４ｂとログファイル３０の内容とが照合される。
【００５２】
ステップＳ４において、ログの内容の照合に成功した場合は、ステップＳ４に進み、ステップＳ４では、ゲート装置は、ユーザが所持するトークンに自機の識別番号を書き込んだ後、ゲート装置はロックを解除し、この手順は終了する。
【００５３】
また、ステップＳ５において、ログの内容の照合に失敗した場合は、ステップＳ５に進み、ステップＳ５では、ゲート装置は、ユーザが所持するトークンに自機の識別番号を書き込まず、照合に失敗したことを意味する警告音などを発信し、ゲート装置はロックを解除せずにこの手順は終了する。
【００５４】
上述したように、本発明によれば、ユーザが所持するトークンに、ユーザが解除したゲート装置のログを記憶し、このログを利用してゲート装置の解除を制御することで、トークンには予めゲート装置のロックを解除するための情報を記憶する必要がなくなり、更に、施設内に複数のゲート装置が設置されている場合、ゲート装置のロックの解除順序を考慮して、ゲート装置のロックの解除を制御することができる。
【図面の簡単な説明】
【００５５】
【図１】入退室管理システムの一実施の形態を示した図。
【図２】ゲート装置のブロック図。
【図３】ＩＣカードのブロック図。
【図４】ログファイルの一例を示した図。
【図５】入退室管理方法の手順を示したフロー図。
【符号の説明】
【００５６】
１  施設
１０  ルーム、
２  ゲート装置
２０  ゲート装置制御手段
２１ａ、２１ｂ  リーダライタ
２３  ゲート装置の識別番号
２４ａ、２４ｂ  参照ゲート情報
３  ＩＣカード
３０  ログファイル
３１  レコード
【図１】
2008007941.tif 000003
【図２】
2008007941.tif 000004
【図３】
2008007941.tif 000005
【図４】
2008007941.tif 000006
【図５】
2008007941.tif 000007